(57)【特許請求の範囲】
【請求項１】
印刷手段を有し、ネットワークに接続される通信装置と、前記通信装置とデータ通信を行うデータ端末とを有する通信システムであって、
前記データ端末は、
前記通信装置と接続されているか否かを判別する判別手段と、
前記判別手段による判別に基づき前記通信装置との接続を要求する場合に、接続要求に含まれる通信相手を指定するための指定情報を用いて、前記通信装置へ送出するデータを前記ネットワークへ送信するか、前記印刷手段により印刷するかを指定して前記通信装置に接続を要求する要求手段と、
前記判別手段による判別に基づき前記通信装置と接続した後に前記通信装置にデータを送出する場合、前記通信装置へ送出するデータが前記ネットワークへ送信するデータか、前記印刷手段により印刷するデータかを示すデータ種別情報を付加する付加手段と、
前記付加手段により前記データ種別情報を付加したデータであり、前記ネットワークへ送出する第１のデータと、前記印刷手段により印刷する第２のデータとを、異なる論理チャネルが多重された通信回線を介して前記通信装置に送信する送信手段とを有し、
前記通信装置は、
前記データ端末から送信された接続要求に含まれる指定情報に基づいて、前記データ端末から送出されたデータを前記ネットワークへ送信するか、前記印刷手段により印刷するかを判断する判断手段と、
前記接続要求に含まれる前記指定情報により前記ネットワークへの送信が指定されていると前記判断手段により判断されると、前記ネットワークへのデータ送信のための設定を行う設定手段と、
前記データ端末と接続した後に前記送信手段により前記データ端末から送信されたデータを受信すると、該受信データのデータ種別情報を認識する認識手段と、
前記認識手段による認識結果に基づいて、前記第１のデータを前記設定手段による設定を用いて前記ネットワークに送信し、前記第２のデータを前記印刷手段により印刷するよう制御する制御手段とを有することを特徴とする通信システム。
【請求項２】
通信装置において、
印刷手段を有し、ネットワークに接続される他の通信装置と接続されているか否かを判別する判別手段と、
前記判別手段による判別に基づき前記他の通信装置との接続を要求する場合に、接続要求に含まれる通信相手を指定するための指定情報を用いて、前記他の通信装置へ送出するデータを前記ネットワークへ送信するか、前記印刷手段により印刷するかを指定して前記他の通信装置に接続を要求する要求手段と、
前記判別手段による判別に基づき前記他の通信装置と接続した後に前記他の通信装置にデータを送出する場合、前記他の通信装置へ送出するデータが前記ネットワークへ送信するデータか、前記印刷手段により印刷するデータかを示すデータ種別情報を付加する付加手段と、
前記付加手段により前記データ種別情報を付加したデータであり、前記ネットワークへ送出するデータと、前記印刷手段により印刷するデータとを、異なる論理チャネルが多重された通信回線を介して前記他の通信装置に送信する送信手段と、
を有することを特徴とする通信装置。
【請求項３】
前記ネットワークへ送出するデータ又は前記印刷手段により印刷するデータを前記他の通信装置へ送信する場合に、前記他の通信装置との通信状態を判別する判別手段と、
前記要求手段は、前記判別手段による判別に応じて、前記他の通信装置に接続を要求することを特徴とする請求項２に記載の通信装置。
【請求項４】
ネットワークに接続する手段と、印刷手段とを有する通信装置において、
他の通信装置から送信された接続要求に含まれる通信相手を指定するための指定情報に基づいて、前記他の通信装置から送出されたデータを前記ネットワークへ送信するか、前記印刷手段により印刷するかを判断する判断手段と、
前記接続要求に含まれる前記指定情報により前記ネットワークへの送信が指定されていると前記判断手段により判断されると、前記ネットワークへのデータ送信のための設定を行う設定手段と、
前記他の通信装置と接続した後に前記他の通信装置から、前記ネットワークへ送信する第１のデータか、前記印刷手段により印刷する第２のデータかを示すデータ種別情報が付加されたデータを異なる論理チャネルが多重された通信回線を介して受信する受信手段と、
前記異なる論理チャネルが多重された通信回線を介して前記受信手段により受信したデータのデータ種別情報を認識する認識手段と、
前記認識手段による認識結果に基づいて、前記異なる論理チャネルが多重された通信回線を介して受信したデータのうち、前記第１のデータを前記設定手段による設定を用いて前記ネットワークに送信し、前記第２のデータを前記印刷手段により印刷するよう制御する制御手段とを有することを特徴とする通信装置。
【請求項５】
前記第１のデータの速度変換を行う速度変換手段を有することを特徴とする請求項４に記載の通信装置。
【請求項６】
前記通信装置は、前記印刷手段により印刷する前記第２のデータを受信中に前記ネットワークに送信する前記第１のデータを受信した場合は、前記ネットワークへの発信処理を開始することを特徴とする請求項４又は５に記載の通信装置。
【請求項７】
前記第１のデータの速度変換を行う速度変換手段と、前記速度変換手段により速度変換されたデータを前記ネットワークへ送信する送信手段と、
前記第２のデータの通信プロトコルヘッダを削除したデータをメモリに格納する格納手段と、
前記メモリに格納したデータを規定のフォーマットに変換する手段と、
前記規定のフォーマットに変換したデータを前記印刷手段へ転送する手段とを有することを特徴とする請求項４に記載の通信装置。
【請求項８】
前記ネットワークへのデータ送信動作を終了する際に、印刷動作が行われているか否かを判断する手段と、
前記印刷動作が行われていない場合には前記ネットワークとの接続を切断し、前記他の通信装置との接続も切断する手段と、
前記印刷動作が行われている場合には前記他の通信装置との接続を切断しないで、前記ネットワークとの接続を切断する手段とを有することを特徴とする請求項４乃至７の何れか一項に記載の通信装置。
【請求項９】
前記印刷動作を終了する際に、前記ネットワークへのデータ通信動作が行われているか否かを判断する手段と、
前記ネットワークへのデータ通信動作が行われていない場合には前記他の通信装置との接続を切断する手段と、
前記ネットワークへの通信動作が行われている場合には前記他の通信装置との接続を切断しない手段を有することを特徴とする請求項４乃至８の何れか一項に記載の通信装置。
【請求項１０】
通信装置の通信方法において、
印刷部を有し、ネットワークに接続される他の通信装置と接続されているか否かを判別する判別工程と、
前記判別工程における判別に基づき前記他の通信装置との接続を要求する場合に、接続要求に含まれる通信相手を指定するための指定情報を用いて、前記他の通信装置へ送出するデータを前記ネットワークへ送信するか、前記印刷部により印刷するかを指定して前記他の通信装置に接続を要求する要求工程と、
前記判別工程における判別に基づき前記他の通信装置と接続した後に前記他の通信装置にデータを送出する場合、前記他の通信装置へ送出するデータが前記ネットワークへ送信するデータか、前記印刷部により印刷するデータかを示すデータ種別情報を付加する付加工程と、
前記付加工程において前記データ種別情報を付加したデータであり、前記ネットワークへ送出するデータと、前記印刷部により印刷するデータとを、異なる論理チャネルが多重された通信回線を介して前記他の通信装置に送信する送信工程と、
を有することを特徴とする通信方法。
【請求項１１】
ネットワークに接続する接続部と、印刷部とを有する通信装置の通信方法において、
他の通信装置から送信された接続要求に含まれる通信相手を指定するための指定情報に基づいて、前記他の通信装置から送出されたデータを前記ネットワークへ送信するか、前記印刷部により印刷するかを判断する判断工程と、
前記接続要求に含まれる前記指定情報により前記ネットワークへの送信が指定されていると前記判断工程において判断されると、前記ネットワークへのデータ送信のための設定を行う設定工程と、
前記他の通信装置と接続した後に前記他の通信装置から、前記ネットワークへ送信する第１のデータか、前記印刷部により印刷する第２のデータかを示すデータ種別情報が付加されたデータを異なる論理チャネルが多重された通信回線を介して受信する受信工程と、
前記異なる論理チャネルが多重された通信回線を介して前記受信工程において受信したデータのデータ種別情報を認識する認識工程と、
前記認識工程における認識結果に基づいて、前記異なる論理チャネルが多重された通信回線を介して受信したデータのうち、前記第１のデータを前記設定工程における設定を用いて前記ネットワークに送信し、前記第２のデータを前記印刷手段により印刷するよう制御する制御工程と、
を有することを特徴とする通信方法。
【発明の詳細な説明】
【０００１】
【発明の属する技術分野】
本発明は、ネットワークに接続されると共に、印刷機能を有する通信装置、前記通信装置とデータ通信を行う通信装置、通信システム及び通信装置の通信方法に関するものである。
【０００２】
【従来の技術】
近年、デジタル無線通信の開発が進み、ファクシミリ装置にデジタル無線通信機能を内蔵する商品が登場している。発明者らも、無線で接続されたデータ端末（ＰＣ）からのインターネットアクセスとプリント出力とを一台のファクシミリ装置によって行うための技術を提案している。
【０００３】
ここで、従来のファクシミリ装置において、ワイヤレス・インターネットアクセスとワイヤレス・プリントを行う場合の処理について説明する。
【０００４】
［インターネットアクセス時］
データ端末（ＰＣ）からインターネットアクセス用のアプリケーションソフトを立ち上げ、データ（例えば、電子メールデータ）を送信する動作を起動する。ＰＣ内のドライバソフトは無線データ通信を行うためのＰＩＡＦＳカードに発信要求通知を行い、その発信要求通知を受けたＰＩＡＦＳカードがＰＨＳ電話機に発信要求を行う。この発信要求の中には、アプリケーションソフトで指定された電話番号情報も含まれている。
【０００５】
そして、ＰＨＳ電話機は先にＰＩＡＦＳカードから受け取った発信要求の中にあった電話番号情報を、ファクシミリ装置に送信する呼設定メッセージの着番号情報要素に入れて送信する。
【０００６】
一方、呼設定メッセージを受信したファクシミリ装置は、そのメッセージ内の着番号情報要素を読み取り、それが通常の電話番号であるか、印刷データを示す特定の番号であるかを判断する。ここで、受信した番号が印刷データを示す番号でない場合はインターネットアクセスモードに移行し、公衆通信回線に発信処理を行うと共に、それ以降受信する無線データはすべて、公衆通信回線に送信するためのデータ変換処理を行った上で、公衆通信回線に送信する。
【０００７】
また、受信した番号が印刷データを示す番号である場合には印刷モードに移行し、そこ以降受信する無線データはすべて、印刷するためのデータ変換処理を行った上で、印刷手段に転送する。
【０００８】
このようにして、一台のファクシミリ装置において、無線で接続されたデータ端末からワイヤレス・インターネットアクセスとワイヤレス・プリントとを実現している。
【０００９】
【発明が解決しようとする課題】
しかしながら、上記従来例では、データ端末（ＰＣ）がファクシミリ装置との間で無線データ通信回線を接続する際の番号情報によりインターネットアクセスモードと印刷モードとを切り替えるように構成されていた。
【００１０】
そのため、一度インターネットアクセスの動作を開始すると、それ以降は印刷を行えないものであった。従って、例えばインターネットアクセスにより閲覧中のデータをそのまま印刷処理するような処理を行うことができないという問題があった。
【００１１】
本発明は、上記課題を解決するためになされたもので、ネットワークへ送信するデータと、印刷するデータとを、異なる論理チャネルが多重された通信回線を介して通信し、各々のデータを区別可能にすることにより、ネットワーク通信と印刷処理とを同時に行えるようにすることを目的とする。
【００１２】
【課題を解決するための手段】
本発明は、印刷手段を有し、ネットワークに接続される通信装置と、前記通信装置とデータ通信を行うデータ端末とを有する通信システムであって、前記データ端末は、前記通信装置と接続されているか否かを判別する判別手段と、前記判別手段による判別に基づき前記通信装置との接続を要求する場合に、接続要求に含まれる通信相手を指定するための指定情報を用いて、前記通信装置へ送出するデータを前記ネットワークへ送信するか、前記印刷手段により印刷するかを指定して前記通信装置に接続を要求する要求手段と、前記判別手段による判別に基づき前記通信装置と接続した後に前記通信装置にデータを送出する場合、前記通信装置へ送出するデータが前記ネットワークへ送信するデータか、前記印刷手段により印刷するデータかを示すデータ種別情報を付加する付加手段と、前記付加手段により前記データ種別情報を付加したデータであり、前記ネットワークへ送出する第１のデータと、前記印刷手段により印刷する第２のデータとを、異なる論理チャネルが多重された通信回線を介して前記通信装置に送信する送信手段とを有し、前記通信装置は、前記データ端末から送信された接続要求に含まれる指定情報に基づいて、前記データ端末から送出されたデータを前記ネットワークへ送信するか、前記印刷手段により印刷するかを判断する判断手段と、前記接続要求に含まれる前記指定情報により前記ネットワークへの送信が指定されていると前記判断手段により判断されると、前記ネットワークへのデータ送信のための設定を行う設定手段と、前記データ端末と接続した後に前記送信手段により前記データ端末から送信されたデータを受信すると、該受信データのデータ種別情報を認識する認識手段と、前記認識手段による認識結果に基づいて、前記第１のデータを前記設定手段による設定を用いて前記ネットワークに送信し、前記第２のデータを前記印刷手段により印刷するよう制御する制御手段とを有することを特徴とする通信システムを提供する。
【００１３】
また、通信装置において、印刷手段を有し、ネットワークに接続される他の通信装置と接続されているか否かを判別する判別手段と、前記判別手段による判別に基づき前記他の通信装置との接続を要求する場合に、接続要求に含まれる通信相手を指定するための指定情報を用いて、前記他の通信装置へ送出するデータを前記ネットワークへ送信するか、前記印刷手段により印刷するかを指定して前記他の通信装置に接続を要求する要求手段と、前記判別手段による判別に基づき前記他の通信装置と接続した後に前記他の通信装置にデータを送出する場合、前記他の通信装置へ送出するデータが前記ネットワークへ送信するデータか、前記印刷手段により印刷するデータかを示すデータ種別情報を付加する付加手段と、前記付加手段により前記データ種別情報を付加したデータであり、前記ネットワークへ送出するデータと、前記印刷手段により印刷するデータとを、異なる論理チャネルが多重された通信回線を介して前記他の通信装置に送信する送信手段とを有することを特徴とする通信装置及び通信方法を提供する。
更に、ネットワークに接続する手段と、印刷手段とを有する通信装置において、他の通信装置から送信された接続要求に含まれる通信相手を指定するための指定情報に基づいて、前記他の通信装置から送出されたデータを前記ネットワークへ送信するか、前記印刷手段により印刷するかを判断する判断手段と、前記接続要求に含まれる前記指定情報により前記ネットワークへの送信が指定されていると前記判断手段により判断されると、前記ネットワークへのデータ送信のための設定を行う設定手段と、前記他の通信装置と接続した後に前記他の通信装置から、前記ネットワークへ送信する第１のデータか、前記印刷手段により印刷する第２のデータかを示すデータ種別情報が付加されたデータを異なる論理チャネルが多重された通信回線を介して受信する受信手段と、前記異なる論理チャネルが多重された通信回線を介して前記受信手段により受信したデータのデータ種別情報を認識する認識手段と、前記認識手段による認識結果に基づいて、前記異なる論理チャネルが多重された通信回線を介して受信したデータのうち、前記第１のデータを前記設定手段による設定を用いて前記ネットワークに送信し、前記第２のデータを前記印刷手段により印刷するよう制御する制御手段とを有することを特徴とする通信装置及び通信方法を提供する。
【００１４】
【発明の実施の形態】
以下、図面を参照して、本発明に係る実施の形態を詳細に説明する。
【００１５】
図１は、本実施形態におけるシステムの構成を示す図である。同図において、１０１は本実施形態によるファクシミリ装置であり、詳細な構成及び動作は更に後述する。１０２はパーソナルコンピュータ（ＰＣ）などのデータ端末であり、後述する無線データ通信によりインターネットに接続する。１０３は無線データ通信アダプタ（ＰＩＡＦＳカード）であり、データ端末１０２に無線データ通信チャネルを提供する。１０４はＰＨＳ電話機（無線端末）であり、ファクシミリ装置１０１と無線データ通信を行う。１０５はＩＳＤＮなどの通信回線である。１０６はサーバ端末であり、インターネット・サービス・プロバイダ（ＩＳＰ：Internet Service Provider）などに設置されている。
【００１６】
図２は、本実施形態によるファクシミリ装置１０１の構成を示すブロック図である。同図において、２０１は中央制御部（ＣＰＵ）であり、本装置全体を制御する。２０２はデータバス及びアドレスバスで構成させるシステムバスである。２０３はＲＯＭであり、ＣＰＵ２０１のプログラムコードや制御データ等を格納している。２０４はＲＡＭであり、ＣＰＵ２０１が制御を実行時に使用する作業領域や各種テーブル等が定義されているメモリである。
【００１７】
２０５はＦＡＸエンジン制御部であり、ファクシミリ機能を実現する。２０６はＣＰＵ（マイクロコンピュータ）であり、ＦＡＸエンジン制御部を制御する。２０７はＲＡＭであり、受信したＦＡＸデータなどを記憶する。２０８はＦＡＸエンジン部のデータバスである。
【００１８】
２０９は共有レジスタであり、ＣＰＵ２０１側システムとＦＡＸエンジン制御部２０５のＣＰＵ２０６側システムとの間でデータのやり取りを行うために使用される。２１０はカラープリンタであり、受信ＦＡＸデータを印刷する。２１１はオペレーションパネルであり、本装置に対する指示や本装置の状態を表示する。２１２はＦＡＸモデム、２１３はハンドセット、２１４はスピーカ、２１５は保留メロディ発生部であり、これらはＦＡＸエンジン制御部２０５に制御されると同時にアナログスイッチ２１６と接続され、音声又はファクシミリのアナログデータはアナログスイッチ２１６経由で公衆通信回線に接続される。
【００１９】
２１７はモジュラーコネクタであり、ＩＳＤＮ（Ｕ点）接続用のものである。２１８はＤＳＵであり、局交換機との間でやり取りされるデータをＴＴＬレベルの信号に変換するものである。２１９はＩＳＤＮインターフェイス（Ｉ／Ｆ）であり、ＩＳＤＮのレイヤ１〜レイヤ３までの制御を行い、ＩＳＤＮのＢチャネルのデータ入出力機能を有している。
【００２０】
２２０はＨＤＬＣコントローラであり、ＨＤＬＣフォーマットのデータ組立／分解処理を行う。２２１は無線データ通信プロトコル処理部（ＰＩＡＦＳコントローラ）であり、無線データ通信プロトコルフォーマットのフレーム組立／分解処理を行う。２２２はＰＨＳ処理部であり、ＰＨＳ無線通信のプロトコル処理、ＰＣＭ符号化変換処理などを行うものであり、詳細は図３に示す。２２３はパス切替スイッチであり、ＣＰＵ２０１の制御によりＩＳＤＮのＢ１チャネルとＢ２チャネルで伝送するデータをＨＤＬＣコントローラ２２０、ＰＨＳ処理部２２２の何れに接続するかを切り替える機能を有する。
【００２１】
次に、主要信号線の意味を説明する。２２５はＣＰＵ２０１とＣＰＵ２０５の間で制御信号の授受を行うシリアル通信信号線である。２２６はＣＰＵ２０１とＰＨＳ処理部２２２との間で制御信号の授受を行うシリアル通信信号線である。２２７、２２８はそれぞれＩＳＤＮのＢ１チャネル、Ｂ２チャネルにおける６４Ｋｂｐｓシリアル伝送信号線である。
【００２２】
２２９はＨＤＬＣコントローラ２２０に入出力されるシリアル通信信号線であり、ＨＤＬＣフレームフォーマットのデータの伝送が行われる。２３０、２３１はＰＨＳ処理部２２２に入出力されるシリアル通信信号線であり、６４Ｋｂｐｓの伝送速度である。ここでは、無線回線で伝送された３２Ｋｂｐｓの信号を６４Ｋｂｐｓに変換したデータ及びアナログスイッチ２１６から入力されたアナログ信号を６４ＫｂｐｓのＰＣＭデータに変換したデータなどが伝送される。データ端末１０２から送信されてＩＳＤＮ回線に出力されるデータの場合はＰＨＳ処理部２２２内で３２Ｋｂｐｓから６４Ｋｂｐｓに速度変換（Ｉ．４６０）されて、２３０、２３１に出力される。２３２はＰＨＳ処理部２２２において、無線回線から受信した３２Ｋｂｐｓをそのまま出力する信号線であり、ＰＩＡＦＳコントローラ２２１に接続されている。
【００２３】
図３は、ＰＨＳ処理部２２２の内部を示すブロック図である。同図において、３０１はＰＨＳ関連の制御を行うＣＰＵであり、ＲＡＭ、ＲＯＭ（図示せず）を内蔵している。３０２はデータバスである。３０３はＰＨＳベースバンド処理部であり、ＰＨＳ伝送フレームの組立／分解処理を行う。尚、ＰＨＳ伝送フレームの２スロット分の処理を行うことができる。３０４は高周波部であり、伝送するデータをＰＨＳの周波数帯域である１．９ＧＨｚ帯で搬送するための周波数変換処理を行う。３０５は無線を送受信するためのアンテナである。
【００２４】
３０６、３０７はＡＤＰＣＭ／ＰＣＭ変換部であり、ＰＨＳ無線伝送で使用される３２ＫｂｐｓのＡＤＰＣＭ符号化音声データをＩＳＤＮで使用される６４ＫｂｐｓのＰＣＭ符号化音声データに変換する。３０８、３０９はＩ．４６０変換部であり、ＰＨＳ無線伝送されたデータをＩＳＤＮ回線を介してＰＩＡＦＳに対応した相手に送信する場合に、３２Ｋｂｐｓのデータを６４Ｋｂｐｓに速度変換する機能を有する。図４は、Ｉ．４６０変換処理を示す図である。
【００２５】
３１０、３１１はＰＣＭコーデックであり、アナログスイッチ２１６から入力されるアナログ信号２３３、２３４を６４ＫｂｐｓのＰＣＭ符号化データに変換する機能を有する。３１２はスイッチであり、ＰＨＳベースバンド処理部３０３から出力される３２ＫｂＰＳのデータにどのような処理を加えるかの選択を行う。３１３はスイッチであり、ＰＨＳベースバンド処理部３０３から出力される２チャネルの３２Ｋｂｐｓデータのうち、どちらをＰＩＡＦＳコントローラ２２１に接続するかの選択を行う。３１４、３１５はスイッチであり、それぞれ６４Ｋｂｐｓ伝送路２３０、２３１に接続するデータを選択する。尚、上述のスイッチ３１２〜３１５はＣＰＵ３０１によって制御される。
【００２６】
図５は、ＰＨＳ無線伝送フレームフォーマットを示す図である。図５に示す（ａ）は無線リンク確立時に使用するＳＣＣＨ（個別セル呼び出し）フレーム、同（ｂ）はＰＣＨ（一斉呼び出しチャネル）フレーム、そして、同（ｃ）は通常のデータ通信に使用するＴＣＨ，ＦＡＣＣＨなどのフレームである。
【００２７】
図６は、無線データ伝送プロトコル（ＰＩＡＦＳ）で使用するフレームフォーマットを示す図である。図６に示す（ａ）はプロトコルの選択及びフレーム同期を確立するために送受信されるネゴシエーションフレーム、同（ｂ）は通信中のフレーム再同期を取るために送受信される同期フレーム、同（ｃ）は制御情報を送受信するための制御フレーム、そして、同（ｄ）はユーザデータを送受信するためのデータフレームである。
【００２８】
ＰＩＡＦＳによるデータ通信を行う際には、まずネゴシエーションフレームを使ってインバンドネゴシエーション、フレーム同期確率、応答遅延時間測定などを行い、次に制御フレームにより通信パラメータの設定を行い、データフレームによるデータ通信を開始する。このデータフレーム内のデータフィールドの先頭部には、本実施形態で最も重要となる、インターネット・アクセスかプリントかを示す「データ種別情報」が格納されている。
【００２９】
［インターネットアクセス］
以上の構成において、データ端末１０２がＩＳＤＮ１０５を介してワイヤレス・インターネットアクセスを行っている最中に、ワイヤレスプリント動作を実行する動作について説明する。
【００３０】
図７は、データ端末１０２がＩＳＤＮ１０５を介してインターネットアクセスを行っている間にワイヤレスプリント処理を開始する場合の呼制御シーケンスである。また、図８は、データ端末１０２がワイヤレスプリントを行っている間にインターネットアクセスを開始する場合の呼制御シーケンスである。
【００３１】
図９、図１０は、データ端末１０２がインターネットアクセス中に、プリントを開始する場合のファクシミリ装置１０１の動作フローチャートである。
【００３２】
まず、データ端末１０２がインターネットアクセスのアプリケーションソフトを立ち上げ、データ（例えば、電子メールデータ）を送信する動作を起動する。これにより、データ端末１０２内のドライバソフトがＰＩＡＦＳカード１０３に発信要求通知を行い、ＰＩＡＦＳカード１０３がＰＨＳ電話機１０４に発信要求を行う。この発信要求の中には、アプリケーションソフトで指定されたインターネット・サービス・プロバイダの電話番号情報“０３−１２３４−５６７８”も含まれている。
【００３３】
ここで、ＰＨＳ電話機１０４はファクシミリ装置１０１へリンクチャネル確立要求を送信し、これ以降、ファクシミリ装置１０１が図７に示すシーケンス図に従ってＰＨＳ電話機１０４との間で無線回線確立を行う。ＰＨＳ電話機１０４は、先にＰＩＡＦＳカード１０３から受け取った発信要求の中に存在する電話番号情報“０３−１２３４−５６７８”をファクシミリ装置１０１に送信する呼設定メッセージの着番号情報要素に入れて送信する。
【００３４】
次に、ファクシミリ装置１０１が呼設定メッセージを受信すると（ステップＳ９０１）、同メッセージ内の着番号情報要素を読み取り、それが通常の電話番号であるか印刷データを示す特定の番号であるかを判断する（ステップＳ９０２）。その結果、“０３−１２３４−５６７８”は通常の電話番号であるので、インターネットアクセスモードに移行する（ステップＳ９０３）。この段階で、ファクシミリ装置１０１においては、ＣＰＵ２０１がＰＨＳ処理部２２２内のＣＰＵ３０１に対してスイッチ切替指示を出す（ステップＳ９０４）。ＣＰＵ３０１はスイッチ３１２、３１４を切り替え、ＰＨＳベースバンド処理部３０３から出力される３２Ｋｂｐｓのデータを６４Ｋｂｐｓのデータに変換してＩＳＤＮ１０５に出力するように設定する。
【００３５】
具体的には、ＰＨＳベースバンド処理部３０３から出力されるデータをＰＩＡＦＳコントローラ２２１に入力し、無線データ通信プロトコルのヘッダ等を削除した上でメモリに格納する。そして、メモリに格納したデータをＨＤＬＣコントローラ２２０に転送し、そこで６４Ｋｂｐｓに変換されたデータを信号線２３０を介してＩＳＤＮ１０５に出力するように設定する（ステップＳ９０５）。
【００３６】
更に、ＣＰＵ３０１からＣＰＵ２０１に対してＩＳＤＮ１０５への発信要求を通知し（ステップＳ９０６）、ＣＰＵ２０１の指示でＩＳＤＮインターフェイス２１９がＩＳＤＮ１０５に対して呼設定メッセージを送信する（ステップＳ９０７）。その後、ＩＳＤＮ１０５からの応答を受信すると（ステップＳ９０８）、ＣＰＵ２０１からＣＰＵ３０１に応答通知を行い、ＣＰＵ３０１がＰＨＳ電話機１０４に対して応答メッセージを送信する（ステップＳ９０９）。
【００３７】
その後、ＰＩＡＦＳカード１０３が無線データ通信プロトコルに従って図６に示すＰＩＡＦＳ無線伝送フレームの送受信を行い、無線データ通信リンクの確立を行う。具体的には、ネゴシエーションフレームを送信して、ファクシミリ装置１０１との間で同期を確立し、次に制御フレームの一種である通信パラメータ設定要求フレームによって、圧縮の有無などの設定をやり取りする。これにより、ＰＩＡＦＳ無線データ通信リンクが確立すると（ステップＳ９１５）、それ以降、データ送受信が開始される。
【００３８】
ここで、ファクシミリ装置１０１がＰＨＳ電話機１０４からデータを受信すると、ＰＨＳ処理部２２２で無線伝送フレームを分解して３２Ｋｂｐｓのデータを取り出し、ＰＩＡＦＳコントローラ２２１で、受信したデータフレームのフレーム識別ヘッダ、ＡＲＱ制御部、ＦＣＳ部などを削除するフレーム分解処理を行い、データバス２０２を介してデータをＲＡＭ２０４に格納する。そして、格納されたデータフレームのヘッダのデータ種別情報を読み取り、データがインターネットアクセス用データであることを示している場合（ステップＳ９１７）、ＲＡＭ２０４上のデータをＨＤＬＣコントローラ２２０に転送して６４Ｋｂｐｓ同期データに変換する（ステップＳ９１８）。
【００３９】
次に、変換されたデータはパス切替スイッチ２２３を介してＩＳＤＮインターフェイス２１９にそのまま入力され、ＩＳＤＮインターフェイス２１９で所定のデータフォーマットに変換した上でＩＳＤＮ１０５に送信される（ステップＳ９１９）。尚、データ種別を示すヘッダは、データ端末１０２内のドライバソフトによって付加されるものである。
【００４０】
また、ＩＳＤＮ１０５から受信するデータに関しては、ＨＤＬＣコントローラ２２０を介してＲＡＭ２０４に格納した後、データ種別を示すヘッダを付加してＰＩＡＦＳコントローラ２２１に転送し、ＰＨＳ処理部２２２を経由してデータ端末１０２に送信される。
【００４１】
以上のようにして、ＩＳＤＮ１０５を使ったインターネット・アクセスを行うことができる。
【００４２】
次に、インターネットアクセス用のデータ送受信を行っている最中に、データ端末１０２上で印刷を開始した時の動作を説明する。
【００４３】
データ端末１０２が印刷のアプリケーションソフトを立ち上げ、印刷データを送信する動作を起動する。ここで、ドライバソフトは、データ端末１０２の通信ポートが既に使用されていないかどうかの確認を行う。本実施形態の場合、通信ポートは先のインターネットアクセスで使用されているので、通信ポートが使用されていると判断する。また、通信ポートが既に使用されている場合には、無線データ通信回線は接続されているので、発信処理を行わないで、すぐに印刷するデータの送信を開始する。
【００４４】
次に、インターネットアクセス用のデータの場合と同様に、ドライバソフトはフレームの先頭に、印刷用のデータであることを示すヘッダを付加する。ヘッダを付加されたデータは、ＰＩＡＦＳのデータフレーム形式でファクシミリ装置１０１宛てに送信される。
【００４５】
また、ファクシミリ装置１０１においては、ステップＳ９１７と同様にして、受信したフレームのヘッダ情報を解析し、そのデータ種別を判断する。その結果、受信したデータが印刷用であると判断すると（ステップＳ９２４）、データバス２０２を介してデータをＲＡＭ２０４に格納し、ＣＰＵ２０１に対して割り込みを発生し、データを受信したことを通知する（ステップＳ９２５）。
【００４６】
ここで、データ受信通知を受けたＣＰＵ２０１はファクシミリ制御部２０５のＣＰＵ２０６にプリント動作を開始することを通知する（ステップＳ９２６）。そして、通知を受けたＣＰＵ２０６はカラープリンタ２１０を起動し（ステップＳ９２７）、起動が完了すると、その旨をＣＰＵ２０１に通知する（ステップＳ９２８）。
【００４７】
プリンタの起動が完了したことを知ったＣＰＵ２０１は、メモリ２０４に格納されている印刷データを読み出し、共有レジスタ２０９に書き込む（ステップＳ９２９）。ＣＰＵ２０６は共有レジスタ２０９に書き込まれたデータを読み出して（ステップＳ９３０）、印刷できるデータにフォーマット変換した上でカラープリンタ２１０に送出し（ステップＳ９３１）、カラープリンタ２１０が印刷を開始する（ステップＳ９３２）。
【００４８】
次に、通信終了時の手順について説明する。
【００４９】
インターネットアクセス用データの送受信が終了し、データ端末１０２のドライバから通信終了通知データを受信すると（ステップＳ９２０）、ファクシミリ装置１０１はＩＳＤＮ１０５の切断処理を行う（ステップＳ９２１）。この段階で印刷データを受信している場合には（ステップＳ９２２）、無線データ通信回線を切断してはならないので、この状態でインターネットアクセス動作は終了し、ステップＳ９１７に戻る。一方、印刷データを受信していない場含には（ステップＳ９２２）、無線データ通信回線は必要ないので、無線データ通信リンク及びＰＨＳ無線通信回線の切断処理を行い（ステップＳ９２３）、ステップＳ９０１に戻る。
【００５０】
尚、印刷終了時の処理も同様である。即ち、全てのデータの印刷が終了すると、ファクシミリ装置１０１からＰＣ１０２に対して、印刷終了を通知するデータを送信する（ステップＳ９３４）。この段階で、インターネットアクセスが終了していない場合には（ステップＳ９３５）、無線データ通信回線を切断する必要がないので、この状態でワイヤレス・プリント処理は終了し、ステップＳ９１７に戻る。一方、インターネットアクセスが行われていない場合には（ステップＳ９３５）、無線データ通信回線は必要ないので、無線データ通信リンク及びＰＨＳ無線通信回線の切断を行い（ステップＳ９３６）、ステップＳ９０１に戻る。以上の手順によって、ワイヤレス・インターネットアクセス中にワイヤレス・プリントを開始し、任意のアプリケーションから切断を行うことができる。
【００５１】
以上説明したように、本実施形態によれば、無線端末（ＰＣ）とファクシミリ装置との間の無線データ通信回線上に、論理的に複数の通信チャネルを確立することにより、ＰＣからワイヤレス・インターネットアクセスを行っている最中にワイヤレス・プリント動作を実行することができるという効果がある。
【００５２】
尚、前述した実施形態においては、インターネットアクセス中に、印刷を開始する動作について説明したが、印刷動作中にインターネットアクセスを行う場合にも、図８に示すシーケンスにより、ほぼ同様の手順で行うことができる。
【００５３】
この場合には、印刷を行っている段階ではＩＳＤＮの接続はされていないので、インターネットアクセスのアプリケーションが立ち上がった段階で、ドライバシフトがインターネットアクセス要求を示すデータを送信し、その要求を受けたファクシミリ装置がＩＳＤＮに発信するように動作するものである。
【００５４】
また、前述した実施形態においては、インターネットアクセスとワイヤレス・プリントを区別するためのデータ種別は、ＰＩＡＦＳフレームごとに付加されているが、フレームごとに本情報を付加する必要はなく、より高いレイヤのデータフレーム単位ごとにデータ種別情報を付加することによっても同様の効果を得ることが可能である。
【００５５】
更に、前述した実施形態においては、公衆通信回線であるＩＳＤＮを使用することを前提としているが、アナログ公衆通信回線の場合でも、同様の動作により同様の効果を得ることが可能である。
【００５６】
この場合、公衆通信回線へのデータ送信の際には、前述した実施形態におけるＩＳＤＮインターフェイス２１９がデータモデムに置き換わり、データモデムにより変調されたデータが送信されることになる。
【００５７】
以上説明したように実施形態によれば、通信装置に、データ端末から受信したデジタル無線データ種別を認識する手段と、受信したデータが公衆通信回線送信データの場合には、公衆通信回線への送信処理を行う手段と、受信したデータが印刷データの場合には、受信したデータを所定のフォーマットに変換し印刷手段に送信する手段とを有することにより、公衆通信回線への通信チャネルと印刷のための通信チャネルという複数の論理的な通信チャネルで通信が可能となる。
【００５８】
また、通信装置が受信するデータに公衆通信回線送信データか印刷データかを示す情報を付加することにより、データ種別の判断が可能となる。
【００５９】
また、データ端末から通信装置に対してデータを送信したい場合に、既に通信装置との間で無線データ通信回線が接続されているかどうかを判断する手段と、無線データ通信回線が接続されていない場合には、データ端末は通信装置に対して無線データ通信回線の接続要求を行う手段と、無線データ通信回線が接続されている場合には、データ端末は通信装置に対して無線データ通信回線の接続要求を行わない手段を有することにより、公衆通信回線へのデータ送受信中に印刷動作が起動した場合、又は印刷動作中に公衆通信回線へのデータ送受信動作が起動した場合に、新たな発信処理を行わないで通信が可能となる。
【００６０】
また、データ端末から送信される無線データ通信回線接続要求内に、送信するデータを公衆通信回線に送信するか、印刷手段に送信するかを指定する情報を含める手段を有することにより、データ受信を開始する前に、公衆通信回線の接続処理を行うことが可能となる。
【００６１】
また、印刷するデータを受信中に公衆通信回線に送信されるデータを受信した場合には、公衆通信回線への発信処理を開始する手段を有することにより、印刷処理中に公衆通信回線にデータを送信する必要が生じた場合には、ＰＨＳの発信手順によらずとも、データの送信を行うだけで公衆通信回線への接続を行うことが可能となる。
【００６２】
また、受信したデータが公衆通信回線に送信されるデータである場合には、データ端末から受信したデータの速度変換を行う手段と、受信したデータが印刷するデータである場合には、受信したデータの中で無線データ通信プロトコルヘッダ以外のデータをメモリに格納する手段を有することにより、受信したデータ種別ごとに異なる処理を行うことが可能となる。
【００６３】
また、公衆通信回線へのデータ送受信動作を終了する際に、印刷動作が行われているかどうかを判断する手段を有することにより、通信終了時に、印刷が並行して行われているかどうかに応じて、無線データ通信回線を切断するかどうかを決定することが可能となる。
【００６４】
また、印刷動作を終了する際に、公衆通信回線へのデータ送受信動作が行われているかどうかを判断する手段を有することにより、印刷終了時に、公衆通信回線へのアクセスが行われているかどうかに応じて、無線データ通信回線を切断するかどうかを決定することが可能となる。
【００６５】
また、アナログ公衆通信回線に接続する手段と、受信したデータが公衆通信回線に送信されるデータである場合には、無線端末から受信したデータをアナログ信号に変換する変調手段を有することにより、アナログ公衆通信回線に接続しての動作を行うことが可能となる。
【００６６】
尚、本発明は複数の機器（例えば、ホストコンピュータ，インタフェイス機器，リーダ，プリンタなど）から構成されるシステムに適用しても、一つの機器からなる装置（例えば、複写機，ファクシミリ装置など）に適用してもよい。
【００６７】
また、本発明の目的は前述した実施形態の機能を実現するソフトウェアのプログラムコードを記録した記憶媒体を、システム或いは装置に供給し、そのシステム或いは装置のコンピュータ（ＣＰＵ若しくはＭＰＵ）が記憶媒体に格納されたプログラムコードを読出し実行することによっても、達成されることは言うまでもない。
【００６８】
この場合、記憶媒体から読出されたプログラムコード自体が前述した実施形態の機能を実現することになり、そのプログラムコードを記憶した記憶媒体は本発明を構成することになる。
【００６９】
プログラムコードを供給するための記憶媒体としては、例えばフロッピーディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００７０】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部又は全部を行い、その処理によって前述した実施形態の機能が実現される場合も含まれることは言うまでもない。
【００７１】
更に、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【００７２】
【発明の効果】
以上説明したように本発明によれば、装置間の接続を要求する際には、通信相手を指定するための指定情報を用いて、データをネットワークに送信するか、印刷するかを指定するので、ネットワークへのデータ送信の設定を装置間の接続の際に開始でき、更に、装置間の接続後には、ネットワークへ送信するデータと、印刷するデータとを、異なる論理チャネルが多重された通信回線を介して通信し、各々のデータを区別可能にすることにより、接続要求時の指定とは異なる処理も行える。
【図面の簡単な説明】
【図１】本実施形態におけるシステムの構成を示す図である。
【図２】本実施形態によるファクシミリ装置１０１の構成を示すブロック図である。
【図３】ＰＨＳ処理部２２２の内部を示すブロック図である。
【図４】Ｉ．４６０変換処理を示す図である。
【図５】ＰＨＳ無線伝送フレームフォーマットを示す図である。
【図６】無線データ伝送プロトコル（ＰＩＡＦＳ）で使用するフレームフォーマットを示した図である。
【図７】データ端末１０２がＩＳＤＮ１０５を介してインターネットアクセスを行っている間にワイヤレスプリント処理を開始する場合の呼制御シーケンスである。
【図８】データ端末１０２がワイヤレスプリントを行っている間にインターネットアクセスを開始する場合の呼制御シーケンスである。
【図９】データ端末１０２がインターネットアクセス中に、プリントを開始する場合のファクシミリ装置１０１の動作フローチャートである。
【図１０】データ端末１０２がインターネットアクセス中に、プリントを開始する場合のファクシミリ装置１０１の動作フローチャートである。
【符号の説明】
１０１  ファクシミリ装置
１０２  データ端末
１０３  ＰＩＡＦＳカード
１０４  ＰＨＳ電話機
１０５  ＩＳＤＮ
１０６  サーバ端末
２０１  ＣＰＵ
２０６  ＣＰＵ
２０９  共有レジスタ
２１０  カラープリンタ
２１９  ＩＳＤＮインターフェイス
２２１  ＰＩＡＦＳコントローラ
２２３  ＰＨＳ処理部
【図１】
0003854778.tif 000002
【図２】
0003854778.tif 000003
【図３】
0003854778.tif 000004
【図４】
0003854778.tif 000005
【図５】
0003854778.tif 000006
【図６】
0003854778.tif 000007
【図７】
0003854778.tif 000008
【図８】
0003854778.tif 000009
【図９】
0003854778.tif 000010
【図１０】
0003854778.tif 000011